(57)【要約】      （修正有）【課題】特に折り畳んで持ち運びやすくできる携帯型折り畳み式台を提供する。【解決手段】携帯型折り畳み式台は、置き板１０及び支持板２０を有し、該置き板１０は、一側に結合上縁部が設けられ、該支持板２０は、置き板１０に対して上下移動可能に置き板１０の下側に設置され、一側に、置き板１０の結合上縁部に連結される結合下縁部が設けられると共に、他側に折り畳み縁部が設けられ、該折り畳み縁部の近傍に複数の折り部２２が設置され、その構造を有すれば、必要に応じて支持板２０を巻き込んで多角形に折り曲げることにより、置き板１０を支持板２０に対して所望の傾斜度及び高さに調節することができる。【選択図】図５
0003204421.tif 000002
【実用新案登録請求の範囲】
【請求項１】
一側に結合上縁部が設けられる、置き板と、
前記置き板に対して上下移動可能に置き板の下側に設置され、一側に、置き板の結合上縁部に連結される結合下縁部が設けられると共に、他側に折り畳み縁部が設けられ、該折り畳み縁部の近傍に複数の折り部が設置される、支持板を有することを特徴とする携帯型折り畳み式台。
【請求項２】
前記各折り部は、厚さが支持板の厚さよりも薄い折りリブであることを特徴とする請求項１に記載の携帯型折り畳み式台。
【請求項３】
前記支持板に４本の折りリブが設けられることを特徴とする請求項２に記載の携帯型折り畳み式台。
【請求項４】
前記折りリブが支持板の長手方向に沿って平行に設けられることを特徴とする請求項２または３に記載の携帯型折り畳み式台。
【請求項５】
前記折り部が支持板の長手方向に沿って平行に設けられることを特徴とする請求項１に記載の携帯型折り畳み式台。
【請求項６】
さらに、挿設溝が形成されるクリップを有し、
前記置き板が支持板に対して上下移動可能となるように、置き板の結合上縁部及び支持板の結合下縁部が挿設溝に挿し込まれることを特徴とする請求項１乃至５の何れか１項に記載の携帯型折り畳み式台。
【請求項７】
前記クリップに制止ブロックが凸設されることを特徴とする請求項６に記載の携帯型折り畳み式台。
【考案の詳細な説明】
【技術分野】
【０００１】
本考案は、特に折り畳んで持ち運び易くできる携帯型折り畳み式台に関するものである。
【背景技術】
【０００２】
ノートパソコンやタッチパネルなどのモバイル端末は、体積が小さく軽量であることから、利便性に優れているので、日常生活においてよく使用されていると共に、外出時に携帯して利用することも多い。
【先行技術文献】
【特許文献】
【０００３】
【特許文献１】特開2005-299924号公報
【考案の概要】
【考案が解決しようとする課題】
【０００４】
しかしながら、駅や空港、病院などの公共の場では、モバイル端末を置くところがないことから、多くの使用者がモバイル端末を膝の上に置いて操作することになるので、使用上非常に不便であると共に、モバイル端末の操作スピードや作業効率も低下してしまう。
【０００５】
また、ある時は、モバイル端末をオフィスのデスクで使用するが、そのようなデスクは殆ど、角度調節ができないことから、ノートパソコンのモニタを所望の角度に頻繁に枢転させて調整する必要があるので、ノートパソコンのヒンジが摩損しやすく、また、キーボードなどの入力装置には、高さを調節する構造を有しないことから、所定の厚さを有するマットを下側に敷いて入力装置の位置を高くするしかないので、非常に不便であった。
【課題を解決するための手段】
【０００６】
上述した問題を解決するために、本考案に係る携帯型折り畳み式台は、
一側に結合上縁部が設けられる、置き板と、
前記置き板に対して上下移動可能に置き板の下側に設置され、一側に、置き板の結合上縁部に連結される結合下縁部が設けられると共に、他側に折り畳み縁部が設けられ、該折り畳み縁部の近傍に複数の折り部が設置される、支持板を有するものを提供する。
【０００７】
かかる携帯型折り畳み式台において、前記各折り部は、厚さが支持板の厚さよりも薄い折りリブであることが好ましい。
【０００８】
かかる携帯型折り畳み式台において、前記支持板に４本の折りリブが設けられることが好ましい。
【０００９】
かかる携帯型折り畳み式台において、前記折り部の折りリブが支持板の長手方向に沿って平行に設けられることが好ましい。
【００１０】
かかる携帯型折り畳み式台において、
さらに、挿設溝が形成されるクリップを有し、
前記置き板が支持板に対して上下移動可能となるように、置き板の結合上縁部及び支持板の結合下縁部が挿設溝に挿し込まれることが好ましい。
【００１１】
かかる携帯型折り畳み式台において、前記クリップに制止ブロックが凸設されることが好ましい。
【考案の効果】
【００１２】
本考案に係る携帯型折り畳み式台は、上記の構造を有することから、支持板の折り部を折り曲げて、高さが異なる三角形の支持構造に変化させることによって、置き板を持ち上げて異なる傾斜角度を構成させるものであることから、使用者がモバイル端末やキーボードなどの入力装置を置き板に置いて使用する時、実際の需要に応じて所望の傾斜角度及び高さを自由に調節することができる。
【図面の簡単な説明】
【００１３】
【図１】本考案に係る携帯型折り畳み式台の斜視図である。
【図２】本考案に係る携帯型折り畳み式台の分解斜視図である。
【図３】本考案に係る携帯型折り畳み式台の正面視断面図である。
【図４】本考案に係る携帯型折り畳み式台の第一操作状態を示す正面視断面図である。
【図５】本考案に係る携帯型折り畳み式台の第二操作状態を示す正面視断面図である。
【図６】本考案に係る携帯型折り畳み式台の第三操作状態を示す正面視断面図である。
【考案を実施するための形態】
【００１４】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１５】
図１乃至図３に示すように、本考案に係る携帯型折り畳み式台は、置き板１０及び支持板２０を有し、そのうち、置き板１０は、矩形のプレートであり、その一側に結合上縁部が設けられ、該支持板２０は、置き板１０に対して上下移動可能に置き板１０の下側に設置され、その一側に結合下縁部が設けられると共に、他側に折り畳み縁部が設けられ、該結合下縁部は置き板１０の結合上縁部に連結される。
【００１６】
また、本実施例においては、置き板１０と支持板２０との間にクリップ３０が設置され、該クリップ３０の側面に挿設溝３２が形成され、この挿設溝３２に、該置き板１０の結合上縁部及び支持板２０の結合下縁部が挿し込まれることにより、置き板１０が支持板２０に対して上下移動可能に両者を連結し、また、該クリップ３０には止め部３４が凸設されている。
【００１７】
前記支持板２０の折り畳み縁部の近傍に複数の折り部２２が設置され、それらの折り部２２は、支持板２０の厚さよりも薄い折りリブであり、ストライプ状を呈するように平行に配列される。尚、本実施例においては、支持板２０が４本の折りリブを備え、それらの折りリブが支持板２０の長手方向に沿って平行に設けられる。
【００１８】
また、前記支持板２０は、折り部２２を折り曲げて、高さが異なる多角形の支持構造に変化させ、続いて、置き板１０を持ち上げることにより、場合に応じて傾斜度が異なる角度に変化させることができる。例えば、図４に示すように、前記支持板２０の折り畳み縁部側から一番目の折り部２２を折り曲げると共に、支持板２０が置き板１０に重なり合うことによって、支持板２０を置き板１０とほぼ平行となるように、やや傾かせて組み立てることができ、この時、支持板２０の外側縁は置き板１０の外側縁と一致している。また、図５に示すように、前記支持板２０の折り畳み縁部側から一番目及び二番目の折り部２２を折り曲げて外側縁を三番目に係合させ、それらの折り部２２を三角形の支持構造に変化させれば、置き板１０を持ち上げて支持板２０に対して５.５度乃至６.５度位の傾斜度となるように組み立てることができ、さらに、図６に示すように、前記支持板２０の折り畳み縁部側から一番目、二番目、三番目の折り部２２を巻き込むように折り曲げて置き板１０を持ち上げれば、図５の状態よりも高い三角形の支持構造、つまり、９度乃至１０.５度程度の傾斜度となるように組み立てることができる。
【００１９】
このように、本考案では、支持板２０の折り部２２を折り曲げて高さが異なる三角形の支持構造に変化させ、置き板１０を持ち上げることにより、異なる傾斜度に組み立てられることから、置き板１０を支持板２０に対して所望の傾斜度及び高さに調節することができる。故に、使用者がモバイル端末やキーボードなどの入力装置を置き板１０に置いて使用する時、折り畳み式台を、使用者は必要に応じて所望の傾斜度及び高さに簡単に調節することができる。
【産業上の利用可能性】
【００２０】
本考案に係る携帯型折り畳み式台は、上記の構造を有することから、必要に応じて支持板２０を巻き込んで多角形に折り曲げることにより、置き板１０を支持板２０に対して所望の傾斜度及び高さに調節することができる。したがって、使用者が公共の場でモバイル端末を使用する時、携帯型折り畳み式台に置くことにより簡単に使用できることから、膝に置く必要がないので、操作上の利便性が高いと共に、効率も向上させることができる。
【００２１】
また、本考案に係る携帯型折り畳み式台は、止め部３４を有することから、モバイル端末が置き板１０から落下することはない。尚、他の実施例においては、その止め部３４を置き板１０の結合上縁部の近傍に凸設してもよい。
【００２２】
さらに、本考案に係る携帯型折り畳み式台は、オフィスのデスクに置いて使用してもよく、その場合、支持板２０を巻き取るように折り曲げて、置き板１０を支持板２０に対して所望の傾斜度及び高さに調節すれば、ノートパソコンのモニタやキーボードの操作角度を調節することができる。例えば、本考案に係る携帯型折り畳み式台にノートパソコンを置いて使用する時には、単に支持板２０によるモニタの傾斜度を調節すればよく、モニタを枢転させて角度を調整することが不要となるので、ノートパソコンにおけるヒンジの摩損を防ぐことができる。
【００２３】
本考案に係る携帯型折り畳み式台を使用しない時は、支持板２０を展開して置き板１０に重ね合わせれば、体積を小さくできることから、収納し易くなると共に、外出時にも持ち運びやすくなる。
【符号の説明】
【００２４】
１０ 置き板
２０ 支持板
２２ 折り部
３０ クリップ
３２ 挿設溝
３４ 止め部
【図１】
0003204421.tif 000003
【図２】
0003204421.tif 000004
【図３】
0003204421.tif 000005
【図４】
0003204421.tif 000006
【図５】
0003204421.tif 000007
【図６】
0003204421.tif 000008